(57)【要約】【課題】住人の在宅状況を識別することで自動的に動作モードの設定を行い、緊急時の制御を適切に行なえるようにした。【解決手段】住戸内を監視、制御させる自動監視システム１ は、住人毎に１つずつ保有させて在宅人数や在宅者の判別などのＩＤをもたせたＩＤキー１０と、在宅時にＩＤキー１０を収納させて保管させるキー収納装置２０と、キー収納装置２０に収納されているＩＤキー１０のＩＤを読み取って識別し、ＩＤの情報に対応した在宅モード、留守モード、見守りモードの３つの 動作モードを自動的に選択させるコントローラ３０とから構成されている。【選択図】図１
2007249368.tif 000002
【特許請求の範囲】
【請求項１】
住戸内の住人の在宅状況に対応した複数の動作モードのいずれかを選択し、前記動作モードに応じて住戸内を監視、制御させる在宅状況の自動監視システムであって、
各住人に保有させ、所有者の情報を含むＩＤを持たせたＩＤキーと、
前記ＩＤキーを収納させるキー収納装置と、
前記キー収納装置に収納されている前記ＩＤキーのＩＤを読み取って識別し、前記ＩＤに対応したいずれかの動作モードを自動的に判定するコントローラと、
が設けられていることを特徴とする在宅状況の自動監視システム。
【請求項２】
前記ＩＤキーのＩＤを、前記コントローラによって一定時間毎に繰り返し読み取って前記動作モードの判定を行なうようにすることを特徴とする請求項１に記載の在宅状況の自動監視システム。
【請求項３】
前記住戸に設けられた監視センサーが作動したときに、外部の端末に住人の在宅確認の信号を送信して返信を要求し、
前記住人の在宅確認が得られなく、前記監視センサーが所定回数を超えて作動したときに、緊急連絡先に通報するように制御されていることを特徴とする請求項１又は２に記載の在宅状況の自動監視システム。
【請求項４】
前記キー収納装置に前記ＩＤキーを出し入れする時、又は玄関扉の電気錠の開閉時に前記動作モードの判定を行うようにすることを特徴とする請求項１乃至３のいずれかに記載の在宅状況の自動監視システム。
【請求項５】
前記コントローラによって、在宅モード、留守モード、見守りモードのいずれかの動作モードが選択されることを特徴とする請求項１乃至４のいずれかに記載の在宅状況の自動監視システム。
【発明の詳細な説明】
【技術分野】
【０００１】
本発明は、住戸や集合住宅において発生する緊急事態を通報する在宅状況の自動監視システムに関する。
【背景技術】
【０００２】
近年、防犯上の観点からホームセキュリティシステムが普及しており、不審者の住宅内侵入等を監視するため、在宅モード・留守モード等の動作モードを切り替えて動作モード別の制御を行なう侵入監視システムがある（例えば、特許文献１参照）。
特許文献１は、監視カメラを備え、動作モードを手動操作により適宜選択することによってホームサーバを通じて撮像或いは録画できる監視システムである。動作モードは、在宅モード、録画モード、留守モードからなり、在宅モードでは撮像を監視でき、必要あれば録画モードに切り替えてその画像を録画しておくことができる。そして、不在時には留守モードにして録画しておくことで、不審者、侵入者の情報を残しておくようにしたものである。
また、他の動作モードの切り替え方法として、例えば特許文献２に開示されているものがある。
特許文献２は、カメラ付きのインターホンの動作モードを自動で切り替えるシステムであり、例えば住人が帰宅したときに、玄関扉などの電気錠の解錠に連動してインターホンの室内親機を留守モードから在宅モードに自動切り替えさせるものである。留守中は留守モードに設定し、来訪者があってもカメラ画像を遮断させることで無駄な電力を抑制して省力化を図ることができる。
【特許文献１】特開２０００−０９９８６２号公報
【特許文献２】特開２００１−２５１４３４号公報
【発明の開示】
【発明が解決しようとする課題】
【０００３】
しかしながら、特許文献１では、住人が手動操作により各動作モードを切り替えて設定しなければならず、この切り替え操作を忘れてしまうと、例えば住人が不在であるにもかかわらず在宅モードとなってしまい、緊急時の制御が適切に行なわれない可能性があった。
また、特許文献２は、帰宅時の電気錠の解錠により留守モードから在宅モードに切り替え可能なシステムであるが、在宅モードから留守モードへ設定する場合は手動で切り替える方法であるため、特許文献１と同様に動作モードの切り替え操作を忘れてしまうといった問題があった。
【０００４】
本発明は、上述する問題点に鑑みてなされたもので、住人の在宅状況を識別することで自動的に動作モードの設定を行い、緊急時の制御を適切に行なえるようにした在宅状況の自動監視システムを提供することを目的とする。
【課題を解決するための手段】
【０００５】
上記目的を達成するため、本発明に係る在宅状況の自動監視システムは、住戸内の住人の在宅状況に対応した複数の動作モードのいずれかを選択し、動作モードに応じて住戸内を監視、制御させる在宅状況の自動監視システムであって、各住人に保有させ、所有者の情報を含むＩＤを持たせたＩＤキーと、ＩＤキーを収納させるキー収納装置と、キー収納装置に収納されているＩＤキーのＩＤを読み取って識別し、ＩＤに対応したいずれかの動作モードを自動的に判定するコントローラとが設けられていることを特徴としている。
本発明では、例えばＩＤキーのＩＤに所有者の情報（一般成人／要支援者の判別）などを記録させておき、帰宅時あるいは在宅時には各住人専用のＩＤキーをキー収納装置に収納し、外出時にはそのＩＤキーを持ち出すように管理し、これにより住人の在宅状況に応じて、キー収納装置に収納されているＩＤキーのＩＤをコントローラで読み取って識別し、複数の動作モードのいずれかを自動的に判定することができる。このため、住人が帰宅時或いは外出時に手動で動作モードを設定する場合と比較して、動作モードの設定忘れを防止することができる。
【０００６】
また、本発明に係る在宅状況の自動監視システムでは、ＩＤキーのＩＤを、コントローラによって一定時間毎に繰り返し読み取って動作モードの判定を行なうようにすることが好ましい。
本発明では、一定時間毎に繰り返し動作モードを判定することで、コントローラによる動作モードの設定ミスを修正でき、動作モードの設定を確実に行うことができる。
【０００７】
また、本発明に係る在宅状況の自動監視システムでは、住戸に設けられた監視センサーが作動したときに、外部の端末に住人の在宅確認の信号を送信して返信を要求し、住人の在宅確認が得られなく、監視センサーが所定回数を超えて作動したときに、緊急連絡先に通報するように制御されていることが好ましい。
本発明では、住人に送信した在宅確認の信号に対する応答がなく確認が取れない場合において、監視センサーが任意に設定された所定回数を超えて作動するとき、予め設定しておいた警備会社などの緊急通報先へ自動で通報させるように制御させることができる。
【０００８】
また、本発明に係る在宅状況の自動監視システムでは、キー収納装置にＩＤキーを出し入れする時、又は玄関扉の電気錠の開閉時に動作モードの判定を行うようにすることが好ましい。
本発明では、住人の帰宅時或いは外出時の電気錠の開閉やＩＤキーの収納状態の変更があった場合に動作モードの確認動作が行われ、キー収納装置に収納されている最新のＩＤに対応した動作モードを判定することができる。
【０００９】
また、本発明に係る在宅状況の自動監視システムでは、コントローラによって、在宅モード、留守モード、見守りモードのいずれかの動作モードが選択されることが好ましい。
本発明では、ＩＤキーのＩＤに一般成人と老人や児童など要支援者とを識別させることで、要支援者が在宅時には見守りモードが選択され、緊急時において一般成人が在宅している在宅モードと異なる対応が行なえるように制御することができる。
【発明の効果】
【００１０】
本発明の在宅状況の自動監視システムによれば、キー収納装置に収納された各住人が専用に保有するＩＤキーのＩＤをコントローラで読み取ることで、住人の家族構成及び在宅状況に応じて、自動的に適切な動作モードを判定することができることから、動作モードの設定忘れを防止することができる。このため、住居侵入、火災などの緊急事態時にいつでも在宅状況に応じた動作モード毎に適切な制御を行うことができ、最適な手段により外部の連絡先への通報がなされることが可能となる。また、例えば要介護者が増えるなどして家族構成が変化した場合、ＩＤを付したＩＤキーを増加または変更することで対応することができる。
【発明を実施するための最良の形態】
【００１１】
以下、本発明の在宅状況の自動監視システムの実施の形態について、図１及び図２に基づいて説明する。
図１は本発明の実施の形態による自動監視システムの全体概要を示す説明図、図２は自動監視システムにおける在宅／外出時の動作フローを示す図である。
【００１２】
図１に示すように、本在宅状況の自動監視システム１は、住戸単位ごとに住戸内に設置される独立したシステムであり、住居侵入、或いは火災などの緊急時に外部の警備会社、管理会社などの緊急通報先に設置された中央監視装置２において監視できるように制御するシステムである。
自動監視システム１は、住人毎に１つずつ保有させて在宅人数や在宅者の判別などのＩＤ（所有者の情報）をもたせた付属ＩＣチップ（図示省略）を内蔵したＩＤキー１０と、在宅時にＩＤキー１０を収納させて保管させるキー収納装置２０と、キー収納装置２０に収納されているＩＤキー１０のＩＤを読み取って識別し、ＩＤの情報に対応した動作モード（後述）を自動的に選択させるコントローラ３０とから概略構成されている。
【００１３】
図１に示すように、ＩＤキー１０は、前述したＩＣチップ（図示省略）が内蔵されているＩＤ内蔵部１１と、キー収納装置２０に出し入れさせる保持部１２とからなる。ＩＤ内蔵部１１には、必須条件として、ＩＤキー１０の所有者の属性、例えば緊急時の判断や対応ができる一般成人、もしくは緊急時に自力で対応して行動できない児童・幼児、高齢者、要介護者などの要支援者のいずれかの識別情報が記録されている。その他に記録させるＩＤとして、例えばマンションなどの集合住宅であれば当該マンションＩＤ番号、拡張情報（室ＩＤ番号、個人ＩＤ番号）など、任意でさまざまな属性を持たせることもできる。
【００１４】
キー収納装置２０は、住戸内に設置されていて在宅時に各住人が保有するＩＤキー１０を収納させるものであり、少なくとも住人の人数分のＩＤキー１０を収納できる収納部２１と、ＩＤキー１０のＩＤ内蔵部１１に記録されているＩＤの情報を読み取る読取り部２２と、現在設定されている動作モードを識別できるように表示させる表示部２３とから構成されている。
【００１５】
ここで、本自動監視システムで設定された動作モードについて説明する。
動作モードは、住人の在宅状況に応じて、在宅モードＭ１、留守モードＭ２、見守りモードＭ３の３つの動作モードが選択可能に設けられている（図２参照）。
在宅モードＭ１は、例えば、住戸内に住居侵入や火災などの緊急事態に対して適切な判断や行動を行なうことが期待できる成人の居住者が少なくとも一人在宅しており、緊急事態発生時には住戸内へ警報を行えば、適切に対処行動ができる状態の動作モードである。
留守モードＭ２は、住戸内が無人の状態の動作モードである。
そして、見守りモードＭ３は、住戸内に緊急事態に対して適切な判断や行動を行なうことが困難な要支援者のみ在宅している状態の動作モードである。
【００１６】
図１に示すコントローラ３０は、上述したキー収納装置２０による動作モードの切り替え制御機能のほかに、人感センサー４１や火災感知器４２などの監視センサー４０の監視および制御、玄関扉などの電気錠５１の解錠・施錠、サーバー６０を介して中央監視装置２、各住人の持つ携帯電話機３及びグループ住戸４（後述）への連絡などの機能を備え、前記判定された各動作モードに対応した適切な制御が行なわれている。
また、コントローラ３０には、コントローラ本体に付属、或いは外部接続されていて救急通報機能を有した救急発信ボタン３１と、動作モードおよびセンサーによる感知情報を一定時間記録する機能を有する外部記録装置３２とが備えられている。なお、この外部記録装置３２は、コントローラ本体に内蔵させるようにしてもよい。
【００１７】
監視センサー４０は、人感センサー４１で侵入者を検知して通報したりカメラなどを設置して音声・映像情報の取得を行い、火災感知器４２で火災による煙もしくは熱を感知することができる。
人感センサー４１は、例えば留守モードＭ２および見守りモードＭ３では常時、作動状態とされているが、在宅モードＭ１では、平時、非作動状態とされ、火災感知器４２が火災を感知した時点で人感センサー４１が作動する。すなわち、火災時に人が居るか居ないかを判断するために、人感センサー４１を作動させることで安全の確保が可能となる。
一方、火災感知器４２は、全動作モードＭ１、Ｍ２、Ｍ３で作動するようにしておく。
【００１８】
玄関扉の解錠機能は、電気錠コントローラ５０を介して作動する電気錠５１からなり、電気錠コントローラ５０は各動作モードに応じてコントローラ３０によって制御され、例えば火災・救急時に消防員や周辺住人が住戸内に立ち入って消火・救助活動が行えるように、緊急事態の発生後、強制的に玄関扉の解錠を行うものである。
【００１９】
中央監視装置２は、各住戸を監視する以外に、各住戸における動作モードの監視、グループ住戸４の設定の機能を備えている。このグループ住戸４とは、住居侵入、火災などの緊急事態の種類ごとに１又は複数の住戸を通報先としてグループ化するものであり、各住戸のグループは任意に設定・変更することができる。
【００２０】
次に、本在宅状況の自動監視システム１の動作フローについて図面に基づいて説明する。
上述のように構成される自動監視システム１の運用方法としては、帰宅時あるいは在宅時には各住人専用のＩＤキー１０をキー収納装置２０の収納部２１に入れ、外出時には各人のＩＤキー１０を持ち出すようにする（図１参照）。
先ず、図２に示すように、ステップＳ１で本自動監視システムの動作が開始されると、ステップＳ２でキー収納装置２０に収納されているＩＤキー１０のＩＤがコントローラ３０で読み込まれる。そして、ステップＳ３で読み取ったＩＤキー１０の数量がゼロでない場合、すなわち少なくとも１つのＩＤキー１０が収納されている場合（Ｓ３：ＹＥＳ）は、ステップＳ４に進む。一方、ステップＳ３でＩＤキー１０の数量がゼロの場合（Ｓ３：ＮＯ）には、留守モードＭ２が判定される。
【００２１】
続いて、ステップＳ４では、ステップＳ３で読み取ったＩＤのうち一般成人であるＩＤ数が少なくとも一つある場合（Ｓ４：ＹＥＳ）に、在宅モードＭ１が判定されることになる。そして、ステップＳ４で一般成人のＩＤがゼロの場合（Ｓ４：ＮＯ）には、見守りモードＭ３が判定される。
そして、このように判定された各動作モードＭ１、Ｍ２、Ｍ３は、一定時間毎にステップＳ５で動作モードを確認する制御指令が発信され、ステップＳ１〜Ｓ４が繰り返される。またこのほかの動作モードの判定は、例えば玄関扉の電気錠５１の解錠又は施錠や、キー収納装置２０へのＩＤキー１０の出し入れの際に実施される。そのため、例えば住人の誰かが帰宅してその本人のＩＤキー１０が追加されたり、在宅中だった住人が外出のためＩＤキーをキー収納装置２０より持ち出したりすることでＩＤの情報が変更された場合に再び動作モードが判定されるため、キー収納装置に収納されている最新のＩＤに対応した動作モードが選択されることになる。このようにＩＤキー１０のＩＤを管理することで動作モードの設定ミスを修正でき、動作モードの設定を確実に行うことができる。
【００２２】
次に、留守モードＭ２において、ステップＳ６で人感センサー４１が作動すると（Ｓ６：ＹＥＳ）、住戸内への人の侵入もしくは在宅（動作モードの設定ミス）と認識され、ステップＳ７でコントローラ３０からサーバー６０を経由して例えば住人の携帯電話機３（本発明の外部の端末に相当）などへ住人の在宅確認信号Ｐが送信される。そして、この在宅確認信号Ｐを受けた住人が例えば在宅している場合、すなわち在宅中の住人がＩＤキー１０をキー収納装置２０に収納していなかった場合などは、直ちにその住人がＩＤキー１０をキー収納装置２０に収納すると共に、在宅確認信号Ｐの確認済みをコントローラ３０に返信するなどして知らせる。
そして、ステップＳ８で少なくとも一人の住人の在宅確認が得られた場合（Ｓ８：ＹＥＳ）は、ステップＳ５に進み、再度動作モードの確認が行なわれ、在宅モードＭ１が判定されることになる。
【００２３】
一方、ステップＳ８で、例えば在宅確認信号Ｐを送信したのちに一定時間が経過しても在宅確認ができない場合（Ｓ８：ＮＯ）は、ステップＳ９に進む。ステップＳ９で人感センサー４１の作動回数ｎが計上され、その作動回数ｎが任意に設定された一定回数ａを超えて作動すると（ステップＳ１０：ＹＥＳ）、予め設定しておいた警備会社などの緊急通報先へ自動で通報がなされる。また、人感センサー４１の作動回数ｎが一定回数ａ以下の場合（Ｓ１０：ＮＯ）には、再び留守モードＭ２と判定され、ステップＳ６に進むことになる。
【００２４】
次に、各動作モード（在宅モードＭ１、留守モードＭ２、見守りモードＭ３）において住戸内で火災が発生した場合の制御方法について図１などを参照しながら説明する。
在宅モードＭ１の場合、各住戸に設置されている火災感知器４２が感知すると、異常信号と動作モードの情報がコントローラ３０及びサーバー６０を経由して中央監視装置２に送信される（図２参照）。そして、中央監視装置２は、異常信号と動作モードの情報を受信すると、発生場所を含め、異常（火災）発生情報および動作モード情報を、予め設定されているグループ住戸４に送信する（これを「通報制御」とする）。
【００２５】
また、留守モードＭ２の場合、上述した在宅モードＭ１における火災時の動作（すなわち、通報制御）に加えて、予め住戸で設定した外部の連絡先（中央監視装置２や携帯電話機３など）へ、異常発生情報および動作モード情報が通知される（これを、「通知制御」とする）。
さらに、見守りモードＭ３の場合、留守モードＭ２における火災時の動作（すなわち、通報制御、通知制御）に加えて住戸内の住人が要支援者であることから、救助支援のためにコントローラ３０を制御させて電気錠コントローラ５０を介して電気錠５１を解錠させる（これを、「解錠制御」とする）。
【００２６】
このように火災時における各動作モード（在宅モードＭ１、留守モードＭ２、見守りモードＭ３）の動作では、在宅モードＭ１の場合には通報制御のみが作動し、留守モードＭ２の場合には通報制御及び通知制御が作動し、そして見守りモードＭ３の場合には通報制御、通知制御及び解錠制御が作動する。つまり、在宅モードＭ１、留守モードＭ２、見守りモードＭ３の順で制御が増えていくことになるが、これらの動作モードに応じて確実な制御方法となるように設定すればよい。
【００２７】
次に、在宅モードＭ１および見守りモードＭ３において住戸内で救急事態が発生した場合の判断及び制御方法について図１などを参照しながら説明する。
救急事態発生の判断には、第１の判断ケースと第２の判断ケースがある。
第１の判断ケースでは、各住戸に設置されているコントローラ３０の本体、もしくはコントローラ３０に外部接続されている救急発信ボタン３１が押されることで異常発生と判断される。
また、第２の判断ケースでは、各住戸に設置されているコントローラ３０もしくは外部記録装置３２によって、動作モードと人感センサー４１による感知情報とを記録しておき、予め設定したアルゴリズムより異常発生と判断される。この第２の判断ケースの場合、例えば一人暮らしの高齢者などの利用が想定され、見守りモードＭ３であるにもかかわらず、人感センサー４１が一度も感知しない時間が一定時間を超えた場合に、異常発生と判断する。また、住人の生活リズムに合わせて任意に時間を設定することができる。一方、家族世帯の場合は、第２の判断ケースを使用しないことも可能である。
【００２８】
次に、在宅モードＭ１および見守りモードＭ３において住宅内で救急事態が発生した場合の制御方法について説明する。
在宅モードＭ１において、救急発信ボタン３１が押された場合（第１の判断ケース）には、異常信号と動作モードの情報がコントローラおよびサーバー６０（中央監視装置２）を経由して予め設定されているグループ住戸４に、発生場所を含め、異常発生情報と動作モードの情報が送信される。
また、見守りモードＭ３において、救急発信ボタン３１が押された場合（第１の判断ケース）、又は設定アルゴリズムにより異常発生と判断した場合（第２の判断ケース）では、異常信号と動作モードの情報がコントローラ３０およびサーバー６０（中央監視装置２）を経由して予め設定されているグループ住戸４に、発生場所を含め、異常発生情報と動作モードの情報が送信される。これに加えて、見守りモードＭ３の場合には、住戸内の住人が要支援者であることから、救助支援のためにコントローラ３０を制御させて電気錠コントローラ５０を介して電気錠５１を解錠させる制御を行なえるようにしておく。
【００２９】
このように構成される自動監視システム１では、火災、住戸侵入・救急などの緊急事態に応じて通報先を設定することができるうえ、緊急事態が発生した際に、通報しなければならない人に的確に通報することができ、迅速な対応をとることが可能となる。
加えて、緊急事態の種類と住戸で設定された動作モードとに応じた制御が行われるため、管理者・住民の緊急対応行動が支援できる。
【００３０】
上述した本実施の形態による在宅状況の自動監視システムでは、キー収納装置２０に収納された各住人が専用に保有するＩＤキー１０のＩＤをコントローラ３０で読み取ることで、住人の家族構成及び在宅状況に応じて、自動的に適切な動作モードを判定することができることから、この動作モードの設定忘れを防止することができる。このため、住居侵入、火災などの緊急事態時にいつでも在宅状況に応じた動作モード毎に適切な制御を行うことができ、最適な手段により外部の連絡先への通報がなされることが可能となる。
また、例えば要介護者が増えるなど家族構成が変化した場合、ＩＤを付したＩＤキー１０を増加または変更することで対応することができる。
【００３１】
以上、本発明による在宅状況の自動監視システムの実施の形態について説明したが、本発明は上記の実施の形態に限定されるものではなく、その趣旨を逸脱しない範囲で適宜変更可能である。
例えば、本実施の形態では在宅モードＭ１、留守モードＭ２、見守りモードＭ３の３つの動作モードを選択できるようにしているが、動作モードの種類はこれに限定されることはない。例えば、要支援者のいない住戸においては、在宅モードＭ１と留守モードＭ２の２種類のみに設定してもよい。
また、本実施の形態では各動作モードにおける緊急時の通報先や制御方法は任意に設定することができる。そして、必ずしも住人の携帯電話機３や中央監視装置２に送信して確認する方法に限定されることはなく、例えば、設定したほかの住人や警備会社に直接連絡させるように制御させることもできる。
さらに、本実施の形態では住居侵入や火災などの緊急事態を対象としたシステムとしているが、これに限定されることはなく、例えば各動作モード設定に合わせて、帰宅と同時にエアコンなどの家電製品の操作を開始するなど、生活の快適性や利便性にも役立てるようにコントローラ３０を制御させることもできる。
【図面の簡単な説明】
【００３２】
【図１】本発明の実施の形態による自動監視システムの全体概要を示す説明図である。
【図２】自動監視システムにおける在宅／外出時の動作フローを示す図である。
【符号の説明】
【００３３】
１  自動監視システム
２  中央監視装置
３  携帯電話機
４  グループ住戸
１０  ＩＤキー  
２０  キー収納装置
２１  収納部
２２  読取り部
３０  コントローラ
３１  救急発信ボタン
３２  外部記録装置
４０  監視センサー
４１  人感センサー
４２  火災感知器
５１  電気錠
６０  サーバー
Ｍ１  在宅モード
Ｍ２  留守モード
Ｍ３  見守りモード
Ｐ  在宅確認信号
【図１】
2007249368.tif 000003
【図２】
2007249368.tif 000004